(57)【要約】【課題】水道水を注ぐだけで、より美味しく、安全な水に作り変え、自宅で繰り返し利用できる事を可能にするために、２種類のフィルターを取り付けて、一般的なウォーターサーバーに載せて、利用できるようにする。【解決手段】蓋付のウォーターサーバー用ボトルに２種類の浄水フィルターを取り付け、水道水を注ぐと自動的にろ過できるように、センサー付の超小型のポンプを装着する。ポンプで水圧をかけて中空糸膜を通水させ、その後にセラミックフィルターを通す２段浄水の仕組みにすることで、高い浄水能力を実現する。水道水をボトルに注ぐだけで、浄水を可能とすることにより、工事を必要とせず、一般的なウォーターサーバーでの利用を可能にする。【選択図】図１
2014226663.tif 000002
【特許請求の範囲】
【請求項１】
蓋が取り外し可能で、水道水を注ぐことにより、すばやく浄水ができて、一般的なウォーターサーバーに載せる事で、温水、冷水が利用できるウォーターサーバー用ボトル浄水器。
【請求項２】
前記ボトルの上段部分に、中空糸膜によるろ過を可能にする目的で、単三電池で駆動する超小型のポンプ装置がついたウォーターサーバー用ボトル浄水器。
【請求項３】
前記ポンプ装置にセンサーが取り付けられ、水を入れると自動的にろ過が始まり、空になると自動的に止まる浄水装置のついたウォーターサーバー用ボトル浄水器。
【請求項４】
ボトルの下段部分に活性炭フィルターとセラミックフィルターが装着され、前記装置で除去できない有害物質を除去し、ミネラルを補給することを可能にして、２種類の異なるフィルターの相乗効果により、健康に良い美味しい水を作る事を特徴とした、請求項１、請求項２、請求項３に記載のウォーターサーバー用ボトル浄水器。
【発明の詳細な説明】
【技術分野】
【０００１】ウォーターサーバー用の宅配水が世界的に幅広くが普及しているが、一般的には、工場で浄水された水をボトルに充填し、トラックなどで配達するものである。その宅配ボトルの材質は丈夫で何度でも充填、使用できるようになっている。
本発明は、そのボトルにろ過用フィルターを２種類取り付けることにより、自宅で水道水が配達方式のボトルウォーターと同等以上の水になることを可能にする事である。
本ボトルの浄水の仕組みは、自然落下で浄水するセラミックフィルターとモーターポンプでろ過する中空糸膜の２種類からなり、手軽な方法で使用することができて、機能性を高める工夫がなされ、ほとんどのウォーターサーバーに取り付けられることを実現した。
【背景技術】
【０００２】宅配ボトルが世界中いたるところで使用されており、ウォーターサーバーの上に取り付けることで、冷水、温水の利用が可能となり、幅広く普及している。宅配用ボトルの材質は、丈夫な樹脂であり、何度でも充填、配達が可能である。ボトルの中に水を満タンに入れてから専用キャップで閉じる。すると水は漏れなくなり、配送も楽に行える。【０００３】水の入ったボトルをウォーターサーバーの上部についている突起に差し込む形で、上部に載せ、蛇口から水を出すと、ボトルの中に空気が入る分だけ水が出る仕組みになっている。【０００４】通常のボトルウォーターと同様のボトルの中に、フィルターを取り付け、また開閉できる蓋を取り付けて、水をボトルに入れることができるようにする。水道水を入れることで、配達のいらないボトルウォーターを自分で作る事が可能となる。【０００５】ボトルの下部にストッパーを取り付け、下のタンクに水がいっぱい入っていると、ストッパーが浮きのように押しあがって、ボトルから水が落ちないようになり、水漏れを防ぐ事ができる。【０００６】中空糸膜を使用した水道直結型のフィルターは、大腸菌をはじめ、様々な物質のろ過ができ、安全な水を作る事ができる。
【先行技術文献】
【特許文献】
【０００７】
【特許文献１】特願２０１１−０７２９００
【特許文献２】再表２００５／１１０９２６
【特許文献３】特開２００６−１５９０１８
【発明の概要】
【発明が解決しようとする課題】
【０００８】ウォーターサーバー用のボトルであって、水道水をろ過できるフィルターが装着されており、一般的なウォーターサーバーに載せて簡単にかつ繰り返し利用する事が可能であること。【０００９】場所を問わず、いつでも使用できる簡単な装置のついた浄水ボトルであって、水道水をすばやくろ過でき、安全で、より機能性の高い浄水ができること。【００１０】中空糸膜を用いたフィルターは、通水するために水道圧以上の圧力を必要とする。電池で駆動するポンプを用いて中空糸膜に通水できるようにすること。
【課題を解決するための手段】
【００１１】ボトルの下部底にストッパーを取り付け、水漏れを防止し、ボトルの上部には、蓋を取り付け、水道水を容易に入れることができるようにする。【００１２】ボトル本体を２層に分け、水道水を注ぐ上段部分に中空糸膜による、ろ過装置を取り付ける。装置は、単三の電池で駆動するポンプを使用し、チューブでつないで中空糸膜を通してろ過できるようにする。【００１３】中空糸膜装置にセンサーを取り付け、水道水を注ぐと同時に装置が駆動し、空になると自動的に止まるように設定する。【００１４】下段部分に活性炭とサンゴフィルターを取り付け、中空糸膜では除去できない有害物質を除去できるようにするのと同時に、サンゴでミネラルを補給できるようにする。
【発明の効果】
【００１５】請求項１のように、蓋が取り外し可能で、水道水を注ぐことにより、すばやく浄水ができて、一般的なウォーターサーバーに載せる事で、温水、冷水が利用できるようになるので、水の配達がいらなくなり、水購入のコスト削減を実現する事ができる。【００１６】請求項２のように、前記ボトルの上段部分に、中空糸膜によるろ過を可能にする目的で、単三電池で駆動する超小型のポンプ装置を取り付けることにより、大腸菌などの細菌を除去して、より安全な飲料水を作る事ができる。【００１７】請求項３のように、前記ポンプ装置にセンサーを取り付けることで、水を入れると自動的にろ過が始まり、空になると自動的に止めることができる。その結果、操作の簡便性を実現する事ができるようになり、水道工事もいらず、ウォーターサーバーをどこにでも設置することができる。【００１８】請求項４のように、ボトルの下段部分に活性炭とセラミックフィルターが装着されることにより、中空糸膜で除去できない有害物質を除去すると同時に、ミネラルを補給することができる。２種類の異なるフィルターの相乗効果により、東南アジアなど水質の悪い水道でも簡単に浄水することができ、ウォーターサーバーでの利用が可能となる。
【図面の簡単な説明】
【００１９】
【図１】ウォーターサーバー用ボトル浄水器の使用状態を示す模式図である。
【図２】ウォーターサーバー用ボトル浄水器の基本構成をなす斜視図である。
【図３】図２内の上段部、下段部の構成図である。
【図４】中空糸膜の入った第一フィルターの構成図である。
【図５】図４内のフロート式センサー部の拡大図である。
【図６】ボトル下部底にあるストッパーの構成図である。
【発明を実施するための形態】
【００２０】図１で、ウォーターサーバー６の上に載せてある本発明のボトル浄水器１は、一般的なウォーターサーバーに載せるボトルと異なり、蓋２の開け閉めが容易で、水道水を入れてろ過する事ができ、ろ過された水が、ウォーターサーバー６のタンク内に備蓄され、冷水７、温水８の蛇口を通して飲用に供する事ができる。
【００２１】図２にあるように、ボトル浄水器の下部底にストッパー２５を取り付けることにより、６のウォーターサーバー内のタックが水でいっぱいになると、ストッパー２５の内側についているインナーストッパー２６が、浮き上がって、２７の穴閉じ弁がバケット下段部４の底の穴を閉じ、水漏れを防ぐことができる。
【００２２】図３は、本発明であるボトル浄水器１のメインフィルターを構成する図である。上部バケット３に取り付けられているのは、ろ剤として中空糸膜１１を使用する第一フィルターであり、バケット下段部４には、セラミックフィルター２２を取り付け、それぞれの特性を生かしたろ過システムの相乗効果により、より安全で美味しい水を作る事ができ、かつウォーターサーバーで利用する事ができる。
【００２３】蓋２を開けて３の上部バケットに水を入れると、第一フィルター５が自動的に作動し、ろ過が始まる。その仕組みは、水がたまり始めると、第一フィルター５内にあるフロート式センサー１８の磁気フローター１９が浮き始める。それと同時にモーターポンプ１２が作動し、チューブ１３を通して上部バケット３に入っている水を吸い込み、チューブ１８を通して中空糸膜フィルター１１に送水する。バケット内３の水が少なくなってくると磁気フローター１９は下がり始め、水がなくなると同時にモーターポンプ１２が自動的に止まる。
【００２４】０．１ミクロン以下の超微細の中空糸膜１１を通水する事により、その微孔より大きい粒子である大腸菌などは全て除去される事になる。超微細の中空糸膜に通水するためには、１気圧以上の圧力をかける必要があるが、本発明では、モーターポンプ１２を使用することで、安定的かつすばやく通水を可能にした。モーターポンプ１２を起動するエネルギー源として１０の単三電池４個を使用することにより、場所を選ばずどこでも使用することができる。また、開閉キャップ９により、電池の交換を容易に行うことができる。
【００２５】１４は、１ミクロン以上のにごりなど粗めの粒子を取るためのセジメントフィルターであり、取替えを容易にすることで、中空糸膜の寿命を長持ちさせることができる。１６は、フロート式センサー１８とポンプ１２を接続するコード、１５は、ポンプ１２と電池１０を接続するコードである。
【００２６】中空糸膜１１でろ過された水は、浄水チューブ２０を通して、ボトル下部にある第二フィルター２２に送水される。水は自然落下のスピードで落ちていき、２３の活性炭フィルター、サンゴを含むセラミックフィルター２４により、中空糸膜で取ることが難しいとされる、金属イオン系物質やにおいなどを除去し、ミネラルを補給して、より美味しく、健康によい水を作る事ができる。
【産業上の利用可能性】
【００２５】一般的に普及しているウォーターサーバーを利用するには、工場で浄水されボトリングされたものを利用することが多い。それは、水購入コストのアップ、ボトル載せ変えの労力、トラック配送による燃料消費などのデメリットがある。ウォーターサーバー用ボトル浄水器は、水道水を繰り返し利用するので、それらのデメリットを改善する事ができ、より多くの利用者にメリットを提供する事ができる。その結果、トラック配達が減る分、環境保護に貢献する事ができる。
【符号の説明】
【００２６】  １  ボトル浄水器本体
２  蓋
３  内部バケット
４  バケット下段部
５  第一フィルター
６  ウォーターサーバー
７  冷水用蛇口
８  温水用蛇口
９  開閉キャップ
１０  単三電池
１１  中空糸膜フィルター
１２  モーターポンプ
１３  取水チューブ
１４  セジメントフィルター
１５  バッテリーコード
１６  センサーコード
１７  センサールーム
１８  フロート式センサー
１９  磁気フローター
２０  浄水チューブ
２１  パッキン
２２  第二フィルター
２３  活性炭フィルター
２４  セラミックフィルター
２５  ストッパー
２６  インナーストッパー
２７  穴閉じ弁
２８  供給チューブ
【図１】
2014226663.tif 000003
【図２】
2014226663.tif 000004
【図３】
2014226663.tif 000005
【図４】
2014226663.tif 000006
【図５】
2014226663.tif 000007
【図６】
2014226663.tif 000008